(57)【要約】  本発明は、音響空間（１）の聴音ゾーン（２７）の音響特性をアクチブに修正する方法とデバイスとに係り、音響空間（１）で再生する信号を変換する手段（２，４）、摂動音信号を測定する手段（１５）を少なくとも含んでいる共鳴減衰手段、電気信号を処理する手段（６）そして一つの二次音再生源（８）を少なくとも備えている。本発明の特徴は、摂動音信号測定手段（１５）が音響空間（１）内に幾つかの所定の測定位置（５）に分散しており、二次音再生源（８）が音響空間（１）内の幾つかの所定の修正位置（１７）に分散しており、再生しようとする信号を処理する手段（３）と共鳴減衰手段が結合し、そして電気信号処理手段（６）は各摂動音信号測定手段（１５）と接続している少なくとも一つの信号制御手段（７）を含んでいることにある。
2009507254.tif 000002
【特許請求の範囲】
【請求項１】
音響空間（１）の聴音ゾーン（２７）の音響特性をアクチブに修正する方法であって、
‐音響空間（１）で再生する信号を変換して、音響空間（１）において共鳴を生じる一次音信号をつくり、その一次音信号を共鳴にのせて不安定な摂動音信号を形成する段階、および
‐共鳴を減衰させる段階を備え、
該共鳴を減衰させる段階が、
・   
電気信号（３２）に変換される摂動音信号を測定する段階、
・   
電気信号（３２）を処理して、処理された電気信号（９）を形成する段階、および
・   
少なくとも一つの二次音再生源（８）により前記の処理された電気信号（９）を前記の共鳴を減衰できる二次音信号に変換して修正音信号を得る段階
を含んでいる方法において、
‐摂動音信号を測定する段階が、音響空間（１）内で予め決められた幾つかの測定位置（５）を含んでいて、聴音ゾーン（２７）内で一次音信号の再生を摂動する共鳴の振幅に近い共鳴振幅を測定し、
‐共鳴を減衰する二次音信号が音響空間（１）内の予め決められた幾つかの修正位置（１７）で再生されて前記の共鳴上で逆方向に働いて聴音ゾーン（２７）において一様な修正音信号を得ることができるようにし、
‐共鳴を減衰させる段階が、再生する信号を処理する段階と結合して共鳴の形成を最小とすることのできる変更音信号を発生できるようにし、
‐電気信号を処理する段階が異なる測定位置（５）において測定されたすべての不安定な摂動音信号を考慮に入れている
ことを特徴とする方法。
【請求項２】
再生される信号の処理が、均一化による信号処理である請求項１に記載の音響修正のための方法。
【請求項３】
電気信号の処理と再生しようとする信号の処理とが基準（３１）として再生される信号を使用する請求項１もしくは２に記載の音響修正のための方法。
【請求項４】
電気信号を処理する段階が測定位置（５）に従って係数に重みを割り付ける請求項１ないし３のいずれかに記載の音響修正のための方法。
【請求項５】
音響空間（１）の聴音ゾーンの音響特性をアクチブに修正するデバイスであって、
‐音響空間（１）で再生する信号を変換して、音響空間（１）において共鳴を生じる一次音信号をつくり、その一次音信号を共鳴にのせて不安定な摂動音信号を形成する手段（２、４）、および
‐共鳴を減衰させる手段を備え、
該共鳴を減衰させる手段が、
・   
電気信号（３２）に変換される前記摂動音信号を測定する少なくとも一つの手段（１５）、
・   
電気信号（６）を処理して、処理された電気信号（９）を形成する手段、
・   
前記の処理された電気信号（９）を前記の共鳴を減衰できる二次音信号に変換して修正音信号を得ることのできる少なくとも一つの二次音再生源（８）
を備えている
デバイスにおいて、
‐摂動音信号を測定する手段（１５）が、音響空間（１）内で予め決められた幾つかの測定位置（５）に分散していて、聴音ゾーン（２７）内で一次音信号の再生を摂動させている共鳴の振幅に近い共鳴振幅を測定し、
‐前記の処理された電気信号（９）を二次音信号に変換する二次音再生源が、音響空間内の予め決められた幾つかの修正位置（１７）に分散されて配置されていて、前記の共鳴上で逆方向に働いて聴音ゾーン（２７）において一様な修正音信号を得ることができ、
‐共鳴を減衰させる段階が、再生する信号（３）を処理する段階と結合して共鳴の形成を最小とすることのできる変更音信号を発生できるようにし、
‐電気信号を処理する手段が摂動音信号を測定する各手段（１５）に接続された少なくとも一つの信号制御手段（７）
を備えていることを特徴とするデバイス。
【請求項６】
再生される信号（３）の処理が均一化により信号を処理する手段である請求項５に記載の音響修正のためのデバイス。
【請求項７】
共鳴を減衰させる手段と再生しようとする信号を処理する手段（３）とが基準（３１）として再生される信号を使用する請求項５もしくは６に記載の音響修正のためのデバイス。
【請求項８】
信号制御手段（７）が測定位置（５）に従って係数（１０）に重みを割り付ける手段を備えている請求項７に記載の音響修正のためのデバイス。
【請求項９】
各信号制御手段（７）が単一の二次音再生音源（８）へ接続される路（１６）を含み、この二次音再生源（８）は少なくとも一つの共鳴で減衰する二次音信号に処理された電気信号（９）を変換するようにした請求項７もしくは８に記載の音響修正のためのデバイス。
【請求項１０】
信号制御手段（７）は制御フイルタ（１３）を備える請求項７ないし９のいずれかに記載の音響修正のためのデバイス。
【請求項１１】
制御フイルタ（１３）は適応フイルターである請求項１０に記載の音響修正のためのデバイス。
【請求項１２】
摂動音信号を測定する手段（１５）が聴音ゾーン（２７）に配置されている請求項５ないし１１のいずれかに記載の音響修正のためのデバイス。
【請求項１３】
摂動音信号を測定する手段（１５）が音響空間（１）に配置されている請求項５ないし１２のいずれかに記載の音響修正のためのデバイス。
【発明の詳細な説明】
【技術分野】
【０００１】
本発明は音響空間の聴音ゾーンの音響特性をアクチブに修正する方法とデバイスに係るものである。
【０００２】
聴音ゾーンとは一人もしくは数人の聴取者が音信号を聞くためにいる音響空間内の限定された空間を言う。
【背景技術】
【０００３】
固定のもしくは移動式の設備による音信号の再生はこの設備の制限事項（忠実度、応答の品質、動的特性）により不安定となって動揺し、またその設備のある環境の音響特性によっても動揺する。このことが２つの主たる影響をもたらす。一方では、一点で受ける信号は環境内の伝播によって変更され（多重干渉路、ある要素の共鳴と吸収）、他方では音源に対する環境の反動がそれらの挙動を変える（音響負荷の離調、輻射条件の変更）。
【０００４】
従って、所与の環境内で作動するように設計された音再生設備はそれが設計されたその環境から解離した環境で使用されるとその挙動は大きく変わってしまう。この問題はハイファイセットのような音響再生ユニットの場合頻発し、そしてそのディメンションが低周波のスプリアス共鳴を起こし易い（特に部屋の第一の固有モードで）居住空間のようなせまい建物内で使用するときに特に顕著である。
【０００５】
部屋の壁に音波が低周波数で反射し組み合わさって、図２に示すように部屋に空間的に分散している高圧域（＋）と低圧域（−）とを形成する。高圧域（＋）と低圧域（−）とは様々に分布する。
【０００６】
これらの分布が部屋の特性である。それらは特定の周波数で共鳴する音響モードにそれぞれ対応する。
【０００７】
共鳴とは音響空間の壁に音波が多重反射して音波を活性化して伝播し、その聴音ゾーン内での音再生を不安定化して動揺させる音響空間内の圧力の空間分布をつくりだすことである。
【０００８】
再生環境の影響が支配的であるので、それを修正もしくは制限する多くの解決策が求められた。これらの解決策は二つの大きなカテゴリーに分けられる。一方では、信号の再生前にその信号を修正してその修正信号の再生が元の信号に近くなるようにする（再生する信号を処理することによる修正）。他方では、音響環境の特性を変えて音の再生に対する影響を低減することを狙いとする（例えば、アクチブな修正）。
【０００９】
再生しようとする信号を処理することによる修正は第１のカテゴリーに入る。それは最も広く行き渡っている。それを遂行するのは、音調バランスの修正（ハイピッチ／ローピッチ調整、グラフィック・イコライザ）、振動数の微調整（パラメトリック・イコライザ）もしくは特殊処理（一つもしくは幾つかの聴取点における応答を測定することにより調整されるデジタル・フィルタリング・システム）によってである。文献「低周波におけるスピーカーの部屋の応答のモードの均等化」（ジェイ．オーディオ．エンジニアリング学会、５１巻、第５、５月３日）と「部屋の音響効果の均等化と小部屋の音響効果の均等化におけるアダプティブ・システム」（ＡＥＳ、第１５回国際会議）のデバイスがこのタイプの修正を採用している。
【００１０】
再生しようとする信号を処理することによる修正方法の有効性は少なくとも３つの大きな制限により記述できる。
【００１１】
もしも環境が高い共鳴もしくは反共鳴を呈するのであれば、再生しようとする信号を処理する方法によりそれらを補償することはできない。
【００１２】
環境の影響は音の伝播と関連しているので、音響空間内で一つの点から別の点へそれは大きく変化する。そして、信号の修正は空間内の正確な一つの位置にのみ関連してよく、、平均的な修正では修正とならない。
【００１３】
再生しようとする信号を処理することによる修正方法は、音環境における変化分に非常に鋭敏となる微小信号の修正に限定される。
【００１４】
音再生環境の影響を制限する第２のカテゴリーの解決策（音響環境の修正）は実行が容易ではない。そのためあまり広がってはいない。最も普通の方法は聴取室もしくはコンサート・ホールのためのアクチブな音響処理である。例えその再生が小さい聴音ゾーンにしか係らなくても、その修正は全空間に対するものでなければならない。
【００１５】
補助的な電気音響学的な設備に基礎を置くアクチブな音響修正解決策がある。
【００１６】
ＦＲ特許２７６６９５３とＵＳ特許４１２２３０３はノイズを低減するこのアプローチを開示している。ＥＰ特許１０８８２９８とＥＰ特許０５５５７８７は音響空間の音響特質を変えられるデバイスを開示している。
【００１７】
これらの解決策も実際には制限がある。非常に低い低周波数の低周波の修正は大型デバイスを必要とし、それの空間占有は許容できないほどであり、その性能も制限される。十分な自由度が実際には許容し難い密度のアクチュエーターもしくはセンサーを意味している。さらに、音環境のアクチブな修正はそれらの処理を遂行するための信号基準を与えず、そのことが処理アルゴリズムの選択を制限し、そしてしばしば安定性と処理の成果との間での妥協を求めることになる。
【発明の開示】
【発明が解決しようとする課題】
【００１８】
本発明の目的は音響空間内の聴音ゾーンの音響特性をアクチブに修正し、効率の良い、小さい空間内の音信号の均一性を改善することを狙いとした方法とデバイスとを提供することである。
【００１９】
小さい空間内の音信号の均質性を改善することはまた周波数の均質性を改善することを意味している。
【課題を解決するための手段】
【００２０】
本発明は他のやり方によって修正できないような修正を設備を複雑化せず低価格でなすことができる。
【００２１】
この観点での本発明は、音響空間の聴音ゾーンの音響特性をアクチブに修正する方法とデバイスであって、
‐音響空間で再生する信号を変換して、音響空間において共鳴を生じる一次音信号をつくり、その一次音信号を共鳴にのせて不安定な摂動（ｐｅｒｔｕｒｂｅｄ）音信号を形成する段階、および
‐共鳴を減衰させる段階を備え、
−該共鳴を減衰させる段階が、
・   
電気信号に変換される摂動音信号を測定する段階、
・   
電気信号を処理して、処理された電気信号を形成する段階、および
・   
少なくとも一つの二次音再生源により前記の処理された電気信号を前記の共鳴を減衰できる二次音信号に変換して修正音信号を得る段階
を含んでいる、
方法とデバイスとに係るものである。
【００２２】
本発明の方法によれば、
‐摂動音信号を測定する段階が、音響空間内で予め決められた幾つかの測定位置を含んでいて、聴音ゾーン内で一次音信号の再生を摂動させる共鳴の振幅に近い共鳴振幅を測定し、
‐共鳴を減衰する二次音信号が音響空間内の予め決められた幾つかの修正位置で再生されて前記の共鳴上で逆方向に働いて聴音ゾーンにおいて一様な修正音信号を得ることができるようにし、
‐共鳴を減衰させる段階が、再生する信号を処理する段階と結合して共鳴の形成を最小とすることのできる変更音信号を発生できるようにし、
‐電気信号を処理する段階が異なる測定位置において測定されたすべての摂動音信号を考慮に入れるようにしている。
【００２３】
異なる可能な実施例では、以下の説明で明らかとなる、個別にもしくは技術的に可能な組合せとしての特徴にも本発明は係るものである。
‐再生される信号の処理が均一化による信号処理である。
‐電気信号の処理と再生しようとする信号の処理とが基準として再生される信号を使用する。
‐電気信号を処理する段階が測定位置に従って係数に重みを割り付ける。
【００２４】
本発明は、音響空間の聴音ゾーンの音響特性をアクチブに修正するデバイスであって、
‐音響空間で再生する信号を変換して、音響空間において共鳴を生じる一次音信号をつくり、一次音信号を共鳴にのせて不安定な摂動音信号を形成する手段、そして
‐共鳴を減衰させる手段を含み、この共鳴減衰手段は
・   
電気信号に変換される前記摂動音信号を測定する少なくとも一つの手段、
・   
電気信号を処理して処理された電気信号を形成する手段、
・   
前記の処理電気信号を前記の共鳴を減衰できる二次音信号に変換して修正音信号を得ることのできる少なくとも一つの二次音再生源
を備えているデバイスである。
【００２５】
本発明にデバイスに従って、
‐摂動音信号を測定する手段が、音響空間内で予め決められた幾つかの測定位置に分散していて、聴音ゾーン内で一次音信号の再生を不安定に摂動させる共鳴の振幅に近い共鳴振幅を測定し、
‐前記の処理電気信号を二次音信号に変換する二次音再生源が、音響空間内の予め決められた幾つかの修正位置に分散されていて、前記の共鳴上で逆方向に働いて聴音ゾーンにおいて一様な修正音信号を得ることができ、
‐共鳴を減衰させる手段が、再生する信号を処理する手段と結合して共鳴の形成を最小とすることのできる変更音信号を発生できるようにし、
‐電気信号を処理する手段が摂動音信号を測定する各手段１５に接続された少なくとも一つの信号制御手段７
を備えている。
【００２６】
異なる可能な実施例では以下の説明で明らかとなる、個別にもしくは技術的に可能な組合せとしての特徴にも本発明は係るものである。
‐再生される信号の処理が均一化により信号を処理する手段である。
‐共鳴を減衰させる手段と再生しようとする信号を処理する手段とが基準として再生される信号を使用する。
‐信号制御手段が測定位置に従って係数に重みを割り付ける手段を備えている。
‐各信号制御手段が二次音再生音源へ接続される単一路を含み、この二次音再生源は少なくとも一つの共鳴で減衰する二次音信号に処理された電気信号を変換する。
‐信号制御手段は制御フィルターを備えている。
‐制御フィルターは適応（ａｄａｐｔｉｖｅ）フィルターである。
‐摂動音信号を測定する手段が聴音ゾーンに配置されている。
‐摂動音信号を測定する手段が音響空間に配置されている。
【発明を実施するための最良の形態】
【００２７】
図１は従来技術の音響空間の音響特性をアクチブに修正するデバイスを示す。
このデバイスを居住室のような通常は小さい音響空間１内に配置する。このデバイスは、一次音信号の少なくとも２つの再生源４と関連した一次音信号を再生するユニット２を備える一次音信号を再生する手段２、４を含んでいる。再生手段２，４は２つのスピーカーを持つ家庭用ハイファイセットから成るものでよい。
【００２８】
一次音信号の再生源４と聴音ゾーン２７との両方は製造者が推奨するように音響空間１内のステレオ・トライアングルとして配置されているのが有利である。
【００２９】
再生手段２、４は再生しようとする信号を変換して一次音信号を発生する。再生しようとする信号は例えば、コンパクト・ディスクの事前の記録から引き出した電気信号である。
【００３０】
一次音信号は音響空間１内に共鳴を生じる。この一次音信号を共鳴に乗せると摂動音信号を形成する。
【００３１】
共鳴を減衰する手段は、音の再生においての音響空間１の影響を制限することができる。この手段は、音環境のアクチブ音響修正デバイスと通常呼ばれている。
【００３２】
それは、例えばマイクロフォンもしくは圧力センサーであってよい少なくとも一つの摂動音信号の測定手段１５を含んでいる。
【００３３】
摂動音信号を電気信号を処理する手段６で処理して、電気信号３２に変換する。処理された電気信号９が得られる。
【００３４】
少なくとも一つの二次音再生源８がその処理された電気信号９を共鳴励振の二次音信号に変換して共鳴を減衰し、そして修正された音信号を得る。
【００３５】
二次音再生源８は例えば、スピーカーである。
【００３６】
摂動音信号の共鳴は二次音信号の振幅と関係している。その結果小さい共鳴を持つ修正された音信号となる。それでも聴音者は音響空間１のすべての点において同じ修正された音信号を感知することはない。空間的な、従って周波数分布修正音信号は一様ではない。
【００３７】
図２、３は本発明に従って音環境をアクチブに修正するデバイスの例である。
【００３８】
共鳴を減衰する手段は再生しようとする信号を処理する手段３と結合している。再生しようとする信号を処理する手段３は共鳴の形成を最小とすることのできる変更された音信号をつくる。
【００３９】
再生しようとする信号の処理は例えば均等化により再生しようとする信号を処理することである。
【００４０】
再生しようとする信号の処理は一次音再生源４がそれを再生する前に信号の処理を遂行できる。
【００４１】
共鳴を減衰させる手段の使用は再生される信号の処理を一層効果的にする。
【００４２】
共鳴を減衰する手段と再生しようとする信号を処理する手段３とは基準３１として再生される信号を使用する。
【００４３】
測定手段１５は音響空間１内の幾つかの所定の測定位置５に分散して配置されており、すべての共鳴の検出を、そしてもっと正確に言えば聴音ゾーン２７内の音再生を擾乱する音響空間１のすべての第１の固有モードを検出できるようにする。
【００４４】
摂動音信号を測定する手段１５は、共鳴がつくり出す振幅が聴音ゾーン２７にある振幅と同じである場所に配置されている。
【００４５】
摂動音信号を測定する手段１５を聴音ゾーン２７に配置してもよい。
【００４６】
測定手段１５は音響空間１の第一の固有モードの中の少なくとも一つのパラメーターの少なくとも一つを測定する。測定されるパラメーターは振幅における高利得である。利得は２つの係数により表わされるマトリックスで表わされ、一つの係数は測定位置５を表わし、他方の係数は固有モードを表わす。
【００４７】
これらのパラメーターは、聴音ゾーン２７で前に説明したようにして測定され、その聴音ゾーンでは第一の固有モードが特に現れており、そして第一の固有モードが主として分散している周波数域にも現れている。
【００４８】
特定の実施例では測定手段１５は音響空間１の壁に沿って、例えば５０ｃｍ間隔で配置されている。
【００４９】
別の実施例では、測定手段１５は聴音ゾーン２７から遠くなっている。
図２は予め決められた位置５に設けた測定手段１５の位置を例示している。これらの位置５は聴音ゾーン２７内の阻害共鳴によりつくられる振幅を予め知って決められる。図２で２つのモードが表わされている。モード（２、２）（図２Ａ）とモード（１、０）（図２Ｂ）である。それらは空間における二つの異なる圧力分布となる。高圧域２０は低圧域２１と離れている。
【００５０】
録音に従い、両方のこれらのモードは聴音ゾーン２７内にあるものとして検出され、そして両方がこの聴音ゾーン２７内に高圧域２０を発生させる。
【００５１】
録音を行って同様の高圧域２０を呈する音響空間の他の位置を検出する。さらに正確に言えば、探す信号が持つ振幅は、共鳴周波数で、同じ周波数で聴音ゾーン２７にあるものと近い振幅である。近いと言うことは同じサインを示す振幅を意味する。音響空間１の共鳴マップがそれにより得られる。
【００５２】
聴音ゾーン２７と同じ高圧域２０を呈する位置に測定手段１５が配置される。
【００５３】
図３に示されるように、測定手段１５は電気信号を処理する手段６に接続されている。さらに正確には、摂動信号を処理する各手段１５は電気信号処理手段６の少なくとも一つの信号制御手段７へ接続されている。電気信号を処理する段階では異なる測定位置５で測定されたすべての摂動音信号を考慮している。このことは信号制御手段７が多重チャンネルであり、そして電気信号の処理がマトリックスタイプであることを意味する。各信号制御手段７の出力で各二次音信号９は、測定された摂動音信号によって変わっている。換言すれば、すべての出力はすべての入力によって変わる。
【００５４】
各信号制御手段７は一時に一つもしくは幾つかの共鳴（モード）を処理する。
【００５５】
図４に示されている各制御手段７は、摂動音信号を測定する手段の各位置に対応する係数付与手段１０を備えている。
【００５６】
例えば、係数が利得に与えられ、そして測定位置５に従って重みを付けられる。
【００５７】
所与の固有モードに対して係数は測定位置５における一次音信号に対するそのモードの影響に従って重みを付けられる。
【００５８】
利得の振幅は次に加算手段１１で加算され、エラー信号２９を得る。このエラー信号２９と基準信号３１とをそれぞれフィルター１２と３０とにより濾波して考慮している共鳴周波数に近い周波数を分離する。
【００５９】
特定の実施例では、電気信号の処理は摂動信号の測定手段１５により測定された複数の摂動音信号の組合せ段階を含んでいる。この段階は重みつき入力間の、すなわち係数付与手段１０により測定され、そして重みを付けられた摂動音信号間の差を体系的に求めることにある。
【００６０】
測定された摂動音信号に割り付けられた、それぞれ３つの入力を含んでいる図４の信号制御手段７を例として考える。これらの入力はｅ１、ｅ２、ｅ３とする。測定され重みを付けた摂動音信号間の差を算出して、以下の差信号を得た。ｅ１−ｅ２、ｅ２−ｅ３、そしてｅ３−ｅ１である。これらの差信号は事実、様々な測定位置５の間の圧力差に相当する。それからこれら差信号を加算手段１１により加算してエラー信号２９を得る。
【００６１】
この組合せ段階が修正デバイスの性能を改善する。差信号は共鳴の特性をそれら自体の圧力よりもよりよく捉えているからである。
【００６２】
別の実施例では、測定され、重み付けされた摂動音信号と差信号とを電気信号の処理段階で使用する。信号制御手段７を調整するとき、考慮するこれら両方のタイプの信号の割合は電気信号を処理する段階で決められる。
【００６３】
アルゴリズムを含む制御フィルター１３の出力には、処理電気信号９が得られ、その信号は増幅器１４により増幅されてスピーカー８により二次音信号に変換される。所与の共鳴周波数で二次音信号は共鳴の振幅にたいして逆相の振幅を呈する。
【００６４】
結合により振幅は減衰される。修正音信号が得られ、それは聴音ゾーン２７で共鳴を全く呈さないか、殆ど呈することはない。
【００６５】
アルゴリズムのパラメーターは、音響空間１で音響特性をアクチブに修正するデバイスの設置の際にあらかじめ決められる。
【００６６】
例えば、最小自乗（ＬＭＳ）タイプのアルゴリズムを使用する適応制御フィルター１３を使用できる。
【００６７】
修正しようとする音響環境の不可避の摂動を考慮して信号制御手段７はリアルタイムでそれに適応しなければならない。
【００６８】
これもアルゴリズムのパラメーターを変更するのに使用する大きさ（例えば温度）を測定することにより得られる。
【００６９】
各信号制御手段７は二次音再生源８へ接続される路１６を含んでいる。
【００７０】
各チャンネルは同時に幾つかのモードを処理する。
【００７１】
修正位置１７は予め決められていて、二次音再生源８によりつくられた振幅が聴音ゾーン２７における他のモードと結合するのを制限しながら、処理すべきモードとの良好な結合を可能とする。そのとき周波数密度と減衰効果とは調整される。得られる効果は聴音ゾーン２７における周波数と空間応答性との良好な均質性であり、短時間応答性である。このアプローチは周波数修正を得る空間修正を与えることにある。
【００７２】
特定の実施例において二次音再生源８は音響空間１の隅に置かれている。
【００７３】
一人もしくは幾人かの聴音者に対応する空間の小さな部分、さらに正確に言えば聴音者の耳の位置に対応する小さな部分で修正がなされる。聴音者の耳は一次音再生源４から遠い。それらの位置は擾乱する共鳴を附勢するように選択される。
【００７４】
別の実施例で幾つかの聴音ゾーン２７にこの修正を適応することも可能である。
【００７５】
別の実施例では一次音再生源４を使って擾乱共鳴を減衰する。
【００７６】
別の実施例では信号制御手段７と再生しようとする信号処理手段３との間の情報交換が可能である。
【００７７】
こうして、提供される音響特性をアクチブに修正する方法とデバイスとは、聴音ゾーン２７における良好な圧力分布のお陰で聴音ゾーン２７において効果的な音再生を得さしめ音波の周波数分布を改善する。
【００７８】
この方法はモーダル・アプローチに基づいている。その目的は同時にすべてのモードを処理することである。
【００７９】
本発明は設備の複雑性を軽減し、低コストで、他の手法では修正できない修正を達成している。
【図面の簡単な説明】
【００８０】
【図１】従来技術に従って音響空間の音響特性をアクチブに修正するデバイスの一例を示す。
【図２】本発明の実施例に従って、音響空間の音響特性をアクチブに修正するデバイスの略図であり、例えば聴音ゾーンにある音響モード（２，２）Ａ）と（１，０）Ｂ）との両方を修正する。
【図３】本発明の実施例に従って音響空間の音響特性をアクチブに修正するデバイスのやや詳細な図である。
【図４】電気信号を処理する手段の略図である。
【図１】
2009507254.tif 000003
【図２】
2009507254.tif 000004
【図３】
2009507254.tif 000005
【図４】
2009507254.tif 000006
【国際調査報告】
2009507254.tif 000007
2009507254.tif 000008
2009507254.tif 000009
2009507254.tif 000010
2009507254.tif 000011
2009507254.tif 000012